(57)【要約】【課題】  副制御プログラムやコンテンツデータが記憶されたＲＯＭへのゴト等の不正行為を抑制する。【解決手段】  本発明の遊技機は、演出の動作を制御する副制御手段と、第１記憶手段に格納された暗号化されたメモリ識別情報を復号情報を用いて復号し、復号情報及び照合情報を用いて照合用メモリ識別情報を生成し、且つ、復号化された第１記憶手段のメモリ識別情報が照合用メモリ識別情報と一致するか否かを判定する識別情報照合手段とを備え、識別情報照合手段が、復号化された第１記憶手段のメモリ識別情報が照合用メモリ識別情報と一致しないと判定した場合には、副制御手段と第１記憶手段との間のアクセス動作が禁止される。【選択図】  図１１
2019130337.tif 000002
【特許請求の範囲】
【請求項１】
遊技の演出を決定するとともに、該決定された演出の動作を制御する副制御手段と、
前記演出の動作の制御に必要なプログラム及びメモリ識別情報が格納された第１記憶手段と、
前記第１記憶手段の照合用メモリ識別情報を生成することが可能な照合情報が格納された第２記憶手段と、
前記第１記憶手段に格納されたメモリ識別情報と前記照合情報を用いて前記照合用メモリ識別情報を生成し、且つ、前記第１記憶手段のメモリ識別情報が前記照合用メモリ識別情報と一致するか否かを判定する識別情報照合手段と、を備え、
電源投入時に、前記識別情報照合手段が、前記第１記憶手段のメモリ識別情報が前記照合用メモリ識別情報と一致しないと判定した場合には、前記副制御手段と前記第１記憶手段との間のアクセス動作が禁止されることを特徴とする遊技機。
【請求項２】
さらに、前記第１記憶手段、前記第２記憶手段、及び前記識別情報照合手段が搭載されたメモリ基板を備え、
前記メモリ基板は、小型化して規格化された端子の配置を有するコネクタを有し、
前記コネクタは、前記識別情報照合手段を介して前記第１記憶手段に接続されていることを特徴とする請求項１に記載の遊技機。
【発明の詳細な説明】
【技術分野】
【０００１】
本発明は、遊技機に関する。
【背景技術】
【０００２】
従来、複数の図柄がそれぞれの表面に配列された複数のリールと、スタートスイッチと、ストップスイッチと、各リールに対応して設けられたステッピングモータと、制御部とを備えた、「パチスロ」と呼ばれる遊技機が知られている。スタートスイッチは、メダルやコインなどの遊技媒体が遊技機に投入された後、スタートレバーが遊技者により操作されたこと（開始操作）を検出し、全てのリールの回転の開始を要求する信号を出力する。ストップスイッチは、各リールに対応して設けられたストップボタンが遊技者により押されたこと（停止操作）を検出し、該当するリールの回転の停止を要求する信号を出力する。ステッピングモータは、その駆動力を対応するリールに伝達する。また、制御部は、スタートスイッチ及びストップスイッチにより出力された信号に基づいて、ステッピングモータの動作を制御し、各リールの回転動作及び停止動作を行う。
【０００３】
このような遊技機において、開始操作が検出されると、プログラム上で乱数を用いた抽籤処理（内部抽籤処理）が行われ、その抽籤の結果（内部当籤役）と停止操作のタイミングとに基づいてリールの回転が停止制御される。そして、全てのリールの回転が停止され、入賞の成立に係る図柄の組合せが表示されると、その図柄の組合せに対応する特典が遊技者に付与される。なお、遊技者に付与される特典の例としては、遊技媒体（メダル等）の払い出し、遊技媒体を消費することなく再度、内部抽籤処理を行う再遊技の作動、遊技媒体の払い出し機会が増加するボーナスゲームの作動等を挙げることができる。
【０００４】
ところで、上記構成の遊技機は、通常、遊技の主な流れを制御する主制御回路と、遊技の進行に合わせて音や映像の表示等による演出の実行を制御する副制御回路とを備える。また、従来、副制御回路が実装された副制御基板上に、副制御回路で用いる副制御プログラムや演出に使用する映像・サウンド・その他のデータなどが保存されているＲＯＭ（Read  Only  Memory）がカートリッジ形式で装着されるサブ制御ユニットを備えた遊技機が知られている（例えば、特許文献１参照）。さらに、従来、副制御回路が実装された副制御基板上に、副制御プログラムや映像・サウンド・その他のデータなどが記憶されたＲＯＭをＩＣソケットを介して装着する遊技機も知られている。
【先行技術文献】
【特許文献】
【０００５】
【特許文献１】特開２００７−２２９２５３号公報
【発明の概要】
【発明が解決しようとする課題】
【０００６】
上述のように、従来、副制御プログラムやコンテンツデータなどが記憶されたＲＯＭをカートリッジ形式で副制御基板に装着するサブ制御ユニットを備えた遊技機が知られている。しかしながら、現在主流となっている、ＡＲＴ（アシストリプレイタイム）機能が搭載された遊技機では、主制御回路で使用する主制御プログラムより副制御プログラムの方が出玉性能を左右するような仕様となっているので、サブ制御ユニットに搭載されたＲＯＭがゴト等の不正行為の対象となっている。
【０００７】
本発明は上記課題を解決するためになされたものであり、本発明の目的は、演出制御に必要な副制御プログラムやコンテンツデータなどが記憶されたＲＯＭへのゴト等の不正行為を抑制することが可能な遊技機を提供することである。
【課題を解決するための手段】
【０００８】
上記課題を解決するために、本発明では、以下のような構成の遊技機を提供する。
【０００９】
本発明の第１の実施態様に係る発明は、下記の構成を有する。
遊技の演出を決定するとともに、該決定された演出の動作を制御する副制御手段（例えば、後述の副制御回路２００）と、
前記演出の動作の制御に必要なプログラム及びメモリ識別情報（例えば、後述のシリアル番号）が格納された第１記憶手段（例えば、後述のストレージ２１２）と、
前記第１記憶手段の照合用メモリ識別情報（例えば、後述のペアリングシリアル番号）を生成することが可能な照合情報（例えば、後述のパスワード）が格納された第２記憶手段（例えば、後述のＥＥＰＲＯＭ２１３）と、
前記第１記憶手段に格納されたメモリ識別情報と前記照合情報を用いて前記照合用メモリ識別情報を生成し、且つ、前記第１記憶手段のメモリ識別情報が前記照合用メモリ識別情報と一致するか否かを判定する識別情報照合手段（例えば、後述のＳＡＴＡブリッジＡＳＩＣ２１０）と、を備え、
電源投入時に、前記識別情報照合手段が、前記第１記憶手段のメモリ識別情報が前記照合用メモリ識別情報と一致しないと判定した場合には、前記副制御手段と前記第１記憶手段との間のアクセス動作が禁止されるように構成される。
【００１０】
本発明の第２の実施態様に係る発明は、第１の実施態様において下記の構成を有する。
さらに、前記第１記憶手段、前記第２記憶手段、及び前記識別情報照合手段が搭載されたメモリ基板（例えば、後述のストレージ基板６３）を備え、
前記メモリ基板は、小型化して規格化された端子の配置を有するコネクタ（ｍＳＡＴＡ（ｍｉｎｉ  Ｓｅｒｉａｌ  ＡＴＡ）インターフェースを有するｍＳＡＴＡコネクタ）を有し、
前記コネクタは、前記識別情報照合手段を介して前記第１記憶手段に接続されているように構成される。
【発明の効果】
【００１１】
上記構成の本発明の遊技機によれば、演出制御に必要な副制御プログラムやコンテンツデータなどが格納された第１記憶手段へのゴト等の不正行為を抑制することができる。
【図面の簡単な説明】
【００１２】
【図１】本発明の一実施形態に係る遊技機の外観構成を示す斜視図である。
【図２】本発明の一実施形態に係る遊技機の内部構造を示すものであり、フロントドアを開いた状態の斜視図である。
【図３】本発明の一実施形態に係る遊技機の外観正面図である。
【図４】本発明の一実施形態に係る遊技機が備える各種回路基板及び各種周辺装置のブロック構成図である。
【図５】本発明の一実施形態に係る遊技機の主制御回路の内部構成を示すブロック図である。
【図６】本発明の一実施形態に係る遊技機のドア中継基板の内部構成を示すブロック図である。
【図７】本発明の一実施形態に係る遊技機のリールドライブ基板の内部構成を示すブロック図である。
【図８】本発明の一実施形態に係る遊技機の副制御回路の内部構成を示すブロック図である。
【図９】本発明の一実施形態に係る遊技機のストレージ基板の内部構成を示すブロック図である。
【図１０】本発明の一実施形態に係る遊技機に設けられたストレージの暗号化シリアル番号及び復号化キーの変更処理を説明するための図である。
【図１１】本発明の一実施形態に係る遊技機におけるストレージのシリアル番号の照合（ペアリング）機能の動作概要を示す図である。
【発明を実施するための形態】
【００１３】
以下、本発明の一実施形態に係る遊技機の構成について、図面を参照しながら説明する。なお、下記実施形態では、遊技機としてパチスロ遊技機を例に挙げ説明する。
【００１４】
＜パチスロの構造＞
［外観構造］
まず、図１及び図２を参照してパチスロ１の外観構造について説明する。図１は、パチスロ１の外観構造を示す斜視図であり、図２は、パチスロ１の外観正面図である。
【００１５】
パチスロ１は、図１に示すように、外装体２を備える。外装体２は、リールや回路基板等を収容するキャビネット２ａと、キャビネット２ａに対して開閉可能に取り付けられるフロントドア２ｂとを有する。キャビネット２ａの両側面には、把手７が設けられている（図１では一側面の把手７のみを示す）。この把手７は、パチスロ１を運搬するときに運搬者の手がかけられる凹部である。
【００１６】
キャビネット２ａの内部には、３つのリール３Ｌ，３Ｃ，３Ｒが横一列に設けられる（後述の図３参照）。以下、各リール３Ｌ，３Ｃ，３Ｒを、それぞれ左リール３Ｌ、中リール３Ｃ、右リール３Ｒともいう。各リールは、円筒状に形成されたリール本体と、リール本体の周面に装着された透光性のシート材とを有する。シート材の表面には、複数（例えば２１個）の図柄が周方向に沿って所定間隔、離れて描かれている。
【００１７】
フロントドア２ｂは、ドア本体９と、フロントパネル１０と、液晶表示装置１１とを備える。ドア本体９は、ヒンジ（不図示）を用いてキャビネット２ａに開閉可能に取り付けられる。ヒンジは、パチスロ１の前方からドア本体９を見た場合に、ドア本体９における左側の端部に設けられる。
【００１８】
フロントパネル１０は、図１及び図２に示すように、ドア本体９の上部に取り付けられており、そのサイズは、液晶表示装置１１を覆う大きさに設定される。このフロントパネル１０は、液晶表示装置１１の表示部１１ａ側に重畳して配置され、液晶表示装置１１の表示部１１ａを露出させるための２つのパネル開口３００ａ，３００ｂが形成された装飾枠３００と、２つのパネル開口３００ａ，３００ｂを塞ぐ透明の保護カバー(不図示)とを有する。
【００１９】
また、装飾枠３００は、パネル開口３００ａとパネル開口３００ｂとの境界に設けられた仕切り片３１２を有する。すなわち、２つのパネル開口３００ａ，３００ｂは、仕切り片３１２によって上下方向に並ぶように区画される。装飾枠３００のパネル開口３００ａは、液晶表示装置１１の表示部１１ａの上部を露出させるための開口である。また、装飾枠３００のパネル開口３００ｂは、液晶表示装置１１の表示部１１ａの下部及び３つのリール３Ｌ，３Ｃ，３Ｒを露出させるための開口である。
【００２０】
装飾枠３００には、複数のＬＥＤ（Light  Emitting  Diode）と、可動装飾ユニット３１１とが設けられる。なお、図１には示さないが、本実施形態では、複数のＬＥＤが、装飾枠３００の上辺部、右辺部、左辺部及び下辺部に設けられる。装飾枠３００に設けられた各ＬＥＤは、演出内容に対応するパターンで、光を点灯及び消灯する。可動装飾ユニット３１１は、遊技者側から見てパネル開口３００ａの左側部に配置されており、ＬＥＤ（不図示）を有する。可動装飾ユニット３１１は、特別の演出が行われる場合に、演出内容に対応して回転駆動される。
【００２１】
液晶表示装置１１は、ドア本体９の上部に取り付けられており、映像の表示による演出を実行する。この液晶表示装置１１は、３つのリール３Ｌ，３Ｃ，３Ｒに描かれた図柄をそれぞれ表示する３つの表示窓４Ｌ（左表示窓），４Ｃ（中表示窓），４Ｒ（右表示窓）からなる表示窓部４を含む表示部（表示画面）１１ａを備える。本実施形態では、表示窓部４を含む表示部１１ａの全体を使って、映像の表示が行われ、演出が実行される。なお、液晶表示装置１１は、本発明に係る表示装置の一具体例を示す。
【００２２】
各表示窓は、例えばアクリル板等の透明な部材で形成される。３つの表示窓４Ｌ，４Ｃ，４Ｒはそれぞれ、正面（遊技者側）から見て、３つのリール３Ｌ，３Ｃ，３Ｒの配置領域と重畳する位置に設けられ、かつ、３つのリールより手前（遊技者側）に位置するように設けられる。したがって、遊技者は、３つの表示窓４Ｌ，４Ｃ，４Ｒを介して、表示窓部４の背後に設けられた３つのリール３Ｌ，３Ｃ，３Ｒをそれぞれ視認することができる。
【００２３】
本実施形態では、表示窓４Ｌ，４Ｃ，４Ｒのそれぞれは、その背後に設けられた対応するリールの回転が停止したとき、該リールに描かれた複数種類の図柄のうち、連続して配置された３つの図柄を表示できる大きさに設定される。すなわち、各表示窓の枠内には、対応するリールの図柄が表示される上段、中段及び下段の各領域が設けられ、各領域に１個の図柄が表示される。そして、本実施形態では、例えば、左リール３Ｌ（左表示窓４Ｌ）の中段領域、中リール３Ｃ（中表示窓４Ｃ）の中段領域、及び、右リール３Ｒ（右表示窓４Ｒ）の中段領域を結ぶ仮想ラインを、入賞か否かの判定を行う有効ラインとして定義する。
【００２４】
表示部１１ａにおける右表示窓４Ｒの一方の側部（中表示窓４Ｃ側と反対側の側部）には、図２に示すように、タッチセンサモジュール３１を用いたタッチ入力部３１ａが設けられる。すなわち、タッチセンサモジュール３１は、表示部１１ａの長方形状の面内の右下角部付近に配置される。なお、フロントパネル１０が表示部１１ａを覆う透明或いは半透明のカバーを有する場合には、タッチセンサモジュール３１は、透明或いは半透明のカバーの表示部１１ａと対向する面上において、表示部１１ａの右下角部付近と対向する領域に配置されていてもよい。
【００２５】
ドア本体９の中央付近には、図１に示すように、台座部１２が形成される。この台座部１２には、遊技者の操作対象となる各種装置（メダル投入口１３、ＭＡＸベットボタン１４、１ベットボタン１５、スタートレバー１６、ストップボタン１７Ｌ，１７Ｃ，１７Ｒ）が設けられる。
【００２６】
メダル投入口１３は、遊技者によって外部からパチスロ１に投下されるメダルを受け入れるために設けられる。メダル投入口１３から受け入れられたメダルは、予め設定された枚数（例えば３枚）を上限として１回の遊技に使用され、予め設定された枚数を超えた分は、パチスロ１の内部に預けることができる（いわゆるクレジット機能）。
【００２７】
ＭＡＸベットボタン１４及び１ベットボタン１５は、パチスロ１の内部に預けられているメダルから１回の遊技に使用する枚数を決定するために設けられる。なお、図１には示さないが、台座部１２には、精算ボタンが設けられる。この精算ボタンは、パチスロ１の内部に預けられているメダルを外部に引き出す（排出する）ために設けられる。
【００２８】
スタートレバー１６は、全てのリール（３Ｌ，３Ｃ，３Ｒ）の回転を開始するために設けられる。３つのストップボタン１７Ｌ，１７Ｃ，１７Ｒ（左ストップボタン１７Ｌ、中ストップボタン１７Ｃ及び右ストップボタン１７Ｒ）は、それぞれ、左リール３Ｌ、中リール３Ｃ、右リール３Ｒに対応づけて設けられ、各ストップボタンは対応するリールの回転を停止するために設けられる。
【００２９】
また、台座部１２には、７セグメントＬＥＤからなる７セグ表示器２３が設けられる。この７セグ表示器２３は、特典として遊技者に対して払い出すメダルの枚数（払出枚数）、パチスロ１の内部に預けられているメダルの枚数（クレジット枚数）等の情報をデジタル表示する。
【００３０】
ドア本体９の下部には、メダル払出口１８、メダル受皿１９、スピーカ２０Ｌ，２０Ｒ等が設けられる。メダル払出口１８は、後述のメダル払出装置４３の駆動により排出されるメダルを外部に導く。メダル受皿１９は、メダル払出口１８から排出されたメダルを貯める。また、スピーカ２０Ｌ，２０Ｒは、演出内容に対応する効果音や楽曲等の音を出力する。
【００３１】
［内部構造］
次に、パチスロ１の内部構造を、図３を参照しながら説明する。図３は、パチスロ１の内部構造を示す図である。
【００３２】
キャビネット２ａは、正面側の一面が開口された略直方体状の形状を有する。このキャビネット２ａ内の上部には、後述の主制御回路９０を構成する主制御基板５１が設けられる。主制御回路９０は、内部当籤役の決定、各リールの回転及び停止、入賞の有無の判定等の、パチスロ１における遊技の主な動作及び該動作間の流れを制御する回路である。なお、主制御回路９０の具体的な構成は後述する。
【００３３】
キャビネット２ａ内の中央部付近には、左リール３Ｌ、中リール３Ｃ及び右リール３Ｒを含むリールユニット３が設けられる。なお、各リールは、所定の減速比を有する歯車を介して対応するステッピングモータ（不図示）に接続される。なお、３つのリール３Ｌ，３Ｃ，３Ｒ及び各リールのステッピングモータは、本発明に係る変動表示手段の一具体例を示す。
【００３４】
キャビネット２ａ内の下部には、多量のメダルを収容可能であり、かつ、それらを１枚ずつ排出可能な構造を有するメダル払出装置４３（以下、ホッパー装置４３という）が設けられる。キャビネット２ａ内における、ホッパー装置４３の左側方（キャビネット２ａ内部を正面から見て左側）には、パチスロ１が有する各装置に対して必要な電力を供給する電源装置４４が設けられる。
【００３５】
また、キャビネット２ａ内における、ホッパー装置４３の右側方（キャビネット２ａ内部を正面から見て右側）には、メダル補助収納庫４５が設けられる。このメダル補助収納庫４５は、ホッパー装置４３から溢れ出たメダルを収納する。メダル補助収納庫４５は、キャビネット２ａの底面に係合されており、キャビネット２ａに対して着脱可能に取り付けられている。
【００３６】
フロントドア２ｂの裏面側（表示画面側とは反対側の部分）の上部には、後述の副制御回路２００を構成する副制御基板６１が設けられる。副制御回路２００は、映像の表示等による演出の実行を制御する回路である。なお、副制御回路２００の具体的な内部構成は後述する。
【００３７】
さらに、フロントドア２ｂの裏面側における略中央部には、セレクタ４６が設けられる。セレクタ４６は、メダル投入口１３を介して外部から投入されたメダルの材質や形状等が適正である否かを選別する装置であり、適正であると判定したメダルをホッパー装置４３に案内する。また、図３には示さないが、セレクタ４６内においてメダルが通過する経路上には、適正なメダルが通過したことを検出するメダルセンサが設けられる。なお、このメダルセンサは、本発明に係る投入操作検出手段の一具体例を示す。
【００３８】
＜パチスロが備える各種回路基板（制御系）＞
次に、パチスロ１が備える各種回路基板（制御系）を、図４を参照して説明する。図４は、パチスロ１が備える各種回路基板及び各種周辺装置の構成を示すブロック図である。なお、図４中の各構成ブロック間を接続する実線は電気ケーブルやボードトゥボードコネクタ（ＢｔｏＢコネクタ）等による接続形態を示し、破線は光ファイバーケーブルによる接続形態を示す。
【００３９】
パチスロ１は、図４に示すように、主制御基板５１と、ドア中継基板５２と、リールドライブ基板５３と、副制御基板６１と、副中継基板６４とを備える。
【００４０】
［回路基板間の接続関係］
主制御基板５１は、光ファイバーケーブルを介してドア中継基板５２及び副中継基板６４のそれぞれに接続される。また、主制御基板５１は、電気ケーブル等を介してリールドライブ基板５３に接続される。さらに、ドア中継基板５２は、光ファイバーケーブルを介してリールドライブ基板５３に接続される。
【００４１】
なお、主制御基板５１と副中継基板６４との間の情報通信は、主制御基板５１から副中継基板６４への一方向通信である。主制御基板５１とドア中継基板５２との間の情報通信は、ドア中継基板５２から主制御基板５１への一方向通信である。ドア中継基板５２とリールドライブ基板５３との間の情報通信は、リールドライブ基板５３からドア中継基板５２への一方向通信である。また、主制御基板５１とリールドライブ基板５３との間のデータ（信号）の入出力方向は、主制御基板５１からリールドライブ基板５３への一方向である。
【００４２】
副制御基板６１は、副中継基板６４に電気的に接続される。この際、副制御基板６１及び副中継基板６４間は、ボードトゥボードコネクタにより接続される。なお、副制御基板６１及び副中継基板６４間では、データは相互に入出力可能である。
【００４３】
［周辺装置の構成、並びに、回路基板及び周辺装置間の接続関係］
主制御基板５１には、図４に示すように、電源装置４４、７セグ表示器２３、設定用鍵型スイッチ５５及び外部集中端子板５６が電気的に接続される。
【００４４】
電源装置４４は、主制御基板５１に電気的に接続された電源基板４４ａと、電源基板４４ａに電気的に接続された電源スイッチ４４ｂとを有する。なお、電源基板４４ａは、主制御基板５１だけでなく、副中継基板６４にも電気的に接続される。そして、本実施形態では、パチスロ１に必要な電源を供給する際に電源スイッチ４４ｂがオンされ、これにより、電源装置４４から主制御基板５１及び副中継基板６４にそれぞれ電源が供給される。
【００４５】
設定用鍵型スイッチ５５は、パチスロ１の設定を変更する際又はパチスロ１の設定を確認する際に使用される。
【００４６】
外部集中端子板５６は、キャビネット２ａに取り付けられており、メダル投入信号、メダル払出信号及びセキュリティ信号などの信号をパチスロ１の外部へ出力するために設けられる。なお、外部集中端子板５６は、本実施形態のように、パチスロ１内に設けられていてもよいが、例えば、ホールコンピュータに設けられていてもよいし、パチスロ１及びホールコンピュータ間の中継器等に設けられていてもよい。
【００４７】
ドア中継基板５２には、図４に示すように、セレクタ４６、ドア開閉監視スイッチ７１、精算スイッチ７２、スタートスイッチ７３、ＢＥＴスイッチ７４及びストップスイッチ基板７５が電気的に接続される。すなわち、セレクタ４６、ドア開閉監視スイッチ７１、精算スイッチ７２、スタートスイッチ７３、ＢＥＴスイッチ７４及びストップスイッチ基板７５はそれぞれ、ドア中継基板５２を介して主制御基板５１に接続される。
【００４８】
ドア開閉監視スイッチ７１は、フロントドア２ｂの開閉を報知するためのセキュリティ信号をパチスロ１の外部へ出力する。精算スイッチ７２は、精算ボタン（不図示）が遊技者により押されたことを検出して、その検出結果をドア中継基板５２を介して主制御基板５１に出力する。スタートスイッチ７３は、スタートレバー１６が遊技者により操作されたこと（開始操作）を検出して、その検出結果をドア中継基板５２を介して主制御基板５１に出力する。このスタートスイッチ７３は、本発明に係る開始操作検出手段の一具体例を示す。
【００４９】
ＢＥＴスイッチ７４は、ＭＡＸベットボタン１４及び１ベットボタン１５（図１参照）が遊技者により押されたことを検出して、その検出結果をドア中継基板５２を介して主制御基板５１に出力する。また、ストップスイッチ基板７５は、回転しているリールを停止させるためにストップボタン１７Ｌ，１７Ｃ，１７Ｒのそれぞれのボタンの押下を検出するための回路と、停止可能なリールをＬＥＤなどにより表示するための回路とを含む。それゆえ、このストップスイッチ基板７５には、ストップボタン１７Ｌ，１７Ｃ，１７Ｒに対応したストップスイッチが設けられる。ストップスイッチは、本発明に係る停止操作検出手段の一具体例であり、ストップボタン１７Ｌ，１７Ｃ，１７Ｒのそれぞれが遊技者により押されたこと（停止操作）を検出して、その検出結果をドア中継基板５２を介して主制御基板５１に出力する。
【００５０】
リールドライブ基板５３には、図４に示すように、リールユニット３、ホッパー装置４３及びメダル補助収納庫スイッチ５７が電気的に接続される。すなわち、リールユニット３、ホッパー装置４３及びメダル補助収納庫スイッチ５７はそれぞれ、リールドライブ基板５３を介して主制御基板５１に接続される。
【００５１】
なお、リールドライブ基板５３は、各リールのステッピングモータ（不図示）に対してそれぞれ別個に電気的に接続されており、主制御基板５１からステッピングモータに出力される信号を中継する。
【００５２】
メダル補助収納庫スイッチ５７は、メダル補助収納庫４５を貫通して設けられる。このメダル補助収納庫スイッチ５７は、メダル補助収納庫４５がメダルで満杯になっているか否かを検出する。
【００５３】
副中継基板６４には、図４に示すように、２４ｈドア監視ユニット７６、役物駆動ユニット７８、タッチセンサ中継基板７９、ＬＥＤ群８１及びスピーカ群８２が電気的に接続される。すなわち、２４ｈドア監視ユニット７６、役物駆動ユニット７８、タッチセンサ中継基板７９、ＬＥＤ群８１及びスピーカ群８２はそれぞれ、副中継基板６４を介して副制御基板６１に接続される。
【００５４】
２４ｈドア監視ユニット７６は、フロントドア２ｂに設けられたドア監視スイッチ７７に電気的に接続され、フロントドア２ｂを開放したときのドア監視スイッチ７７のオン／オフを検知して、液晶表示装置１１にエラー表示を行うための信号を、副中継基板６４を介して副制御基板６１に出力する。また、２４ｈドア監視ユニット７６は、フロントドア２ｂの開閉の履歴情報を保存する。
【００５５】
タッチセンサ中継基板７９は、副中継基板６４及びタッチセンサモジュール３１間の接続配線を中継する基板であり、タッチセンサモジュール３１に電気的に接続される。そして、タッチセンサ中継基板７９は、タッチセンサモジュール３１から出力されたタッチ操作に関する入力情報を、副中継基板６４を介して副制御基板６１に出力する。
【００５６】
ＬＥＤ群８１は、図示しないが、フロントパネル１０の装飾枠３００の上辺部、右辺部、左辺部及び下辺部にそれぞれ設けられたＬＥＤ、ＭＡＸベットボタン１４に設けられたＬＥＤ（ＢＥＴスイッチＬＥＤ）、ストップボタン毎に設けられたＬＥＤ（ストップスイッチＬＥＤ）、各リールのリール本体の背面に設けられたＬＥＤ（リールバックライト）等の各種ＬＥＤを含む。それゆえ、図４には示さないが、副中継基板６４は、リールバックライトの動作を制御するため、リールユニット３にも電気的に接続される。また、副中継基板６４は、ＢＥＴスイッチ７４及びストップスイッチ基板７５にも電気的に接続される。
【００５７】
スピーカ群８２は、図示しないが、フロントドア２ｂの上辺部付近に設けられた上部スピーカ（Ｌ・Ｒ）、フロントドア２ｂの下辺部付近に設けられたスピーカ２０Ｌ，２０Ｒ、キャビネット２ａの中央付近（ホッパー装置４３の上部）に設けられた中央スピーカ（エンクロージャ）等の各種スピーカを含む。
【００５８】
副制御基板６１は、液晶中継基板６２に電気的に接続される。なお、液晶中継基板６２は、副制御基板６１及び液晶表示装置１１間の接続配線を中継する基板であり、液晶表示装置１１に電気的に接続される。
【００５９】
また、副制御基板６１は、ストレージ基板６３に電気的に接続される。この際、副制御基板６１及びストレージ基板６３間は、ｍＳＡＴＡ（mini  Serial  ATA）インターフェース（ｍＳＡＴＡコネクタ）を介して接続される。なお、副制御基板６１とストレージ基板６３との間のデータ（信号）の入出力方向は双方向である。
【００６０】
ストレージ基板６３には、ＳＳＤ（Solid  State  Drive）、ＨＤＤ（Hard  Disk  Drive）、ＢＤ（Blu-ray（登録商標）Disc）、フラッシュメモリ（ＮＡＮＤ型、ＮＯＲ型）、ＲＯＭなどの不揮発性メモリ装置が搭載され、これらの不揮発性メモリ装置には、副制御基板６１で制御する各種演出動作の副制御プログラムやアプリケーションデータ（演出用の画像（映像）、音声、光（ＬＥＤ群８１）、役物（可動装飾ユニット３１１）動作及び通信のデータ（コンテンツデータ））などが記憶されている。なお、副制御基板６１は、本発明に係る副基板の一具体例を示し、ストレージ基板６３は、本発明に係るメモリ基板の一具体例を示す。
【００６１】
＜主制御回路の構成＞
次に、主制御基板５１に実装される主制御回路９０の内部構成を、図５を参照して説明する。図５は、パチスロ１の主制御回路９０の内部構成例を示すブロック図である。
【００６２】
［主制御回路の全体構成］
主制御回路９０は、図５に示すように、主に、主制御基板５１に実装された、マイクロコンピュータ９１、クロック発振器９２、Ｉ／Ｏ（Input/Output）通信ＬＳＩ（Large  Scale  Integration）９３、セキュリティＩＣ（Integrated  Circuit）９４及び外部端子板用ＬＳＩ９５により構成される。なお、主制御回路９０は、本発明に係る主制御手段の一具体例を示す。
【００６３】
マイクロコンピュータ９１は、メインＣＰＵ１００と、メインＲＯＭ１０１と、メインＲＡＭ（Random  Access  Memory）１０２と、タイマー回路１０３と、乱数発生器１０４と、第１ＵＡＲＴ（Universal  Asynchronous  Receiver  Transmitter）１０５と、第２ＵＡＲＴ１０６とを有する。なお、図示しないが、マイクロコンピュータ９１内には、クロック発振器９２から入力されたＣＰＵ作動用のクロック信号を分周するための分周器も設けられている。
【００６４】
メインＣＰＵ１００には、図５に示すように、メインＲＯＭ１０１、メインＲＡＭ１０２、タイマー回路１０３、乱数発生器１０４、第１ＵＡＲＴ１０５、第２ＵＡＲＴ１０６、クロック発振器９２及びＩ／Ｏ通信ＬＳＩ９３がそれぞれ電気的に接続される。また、第１ＵＡＲＴ１０５には、セキュリティＩＣ９４が電気的に接続され、第２ＵＡＲＴ１０６には、外部端子板用ＬＳＩ９５が電気的に接続される。すなわち、セキュリティＩＣ９４及び外部端子板用ＬＳＩ９５は、それぞれ第１ＵＡＲＴ１０５及び第２ＵＡＲＴ１０６を介して、メインＣＰＵ１００に接続される。
【００６５】
なお、メインＣＰＵ１００とＩ／Ｏ通信ＬＳＩ９３との間では、データ（信号）は相互に入出力可能である。メインＣＰＵ１００と、第１ＵＡＲＴ１０５及び第２ＵＡＲＴ１０６のそれぞれとの間のデータ（信号）の入出力方向は、メインＣＰＵ１００から各ＵＡＲＴへの一方向である。第１ＵＡＲＴ１０５とセキュリティＩＣ９４との間のデータ（信号）の入出力方向は、第１ＵＡＲＴ１０５からセキュリティＩＣ９４への一方向である。また、第２ＵＡＲＴ１０６と外部端子板用ＬＳＩ９５との間のデータ（信号）の入出力方向は、第２ＵＡＲＴ１０６から外部端子板用ＬＳＩ９５への一方向である。
【００６６】
また、図５には示さないが、Ｉ／Ｏ通信ＬＳＩ９３は、リールドライブ基板５３内の後述のＩ／Ｏ通信ＬＳＩ１２０（図７参照）に電気ケーブル等を介して電気的に接続される。さらに、Ｉ／Ｏ通信ＬＳＩ９３は、光ファイバーケーブルによりドア中継基板５２内の後述のＩ／Ｏ通信ＬＳＩ１１０（図６参照）に接続される。なお、Ｉ／Ｏ通信ＬＳＩ９３は、ＰＩＯ（Parallel  Input/Output）回路及び光ファイバーケーブルに接続可能な通信回路（本実施形態では、Ｉ２Ｃ通信を採用）が内蔵されたＩＣで構成される。
【００６７】
本実施形態では、主制御基板５１内のＩ／Ｏ通信ＬＳＩ９３と、リールドライブ基板５３内の後述のＩ／Ｏ通信ＬＳＩ１２０及びドア中継基板５２内の後述のＩ／Ｏ通信ＬＳＩ１１０のそれぞれとの間では、主制御基板５１内のＩ／Ｏ通信ＬＳＩ９３がマスターとして作動し、リールドライブ基板５３内の後述のＩ／Ｏ通信ＬＳＩ１２０及びドア中継基板５２内の後述のＩ／Ｏ通信ＬＳＩ１１０のそれぞれがスレーブとして作動する。また、Ｉ／Ｏ通信ＬＳＩ９３とリールドライブ基板５３内の後述のＩ／Ｏ通信ＬＳＩ１２０との間におけるデータの入出力方向は、Ｉ／Ｏ通信ＬＳＩ９３から後述のＩ／Ｏ通信ＬＳＩ１２０への一方向となり、Ｉ／Ｏ通信ＬＳＩ９３とドア中継基板５２内の後述のＩ／Ｏ通信ＬＳＩ１１０との間におけるデータの通信方向は、後述のＩ／Ｏ通信ＬＳＩ１１０からＩ／Ｏ通信ＬＳＩ９３への一方向となる。
【００６８】
また、セキュリティＩＣ９４は、光ファイバーケーブルを介して、副中継基板６４内の図示しないセキュリティＩＣ（復号化ＬＳＩ）に接続される。なお、セキュリティＩＣ９４と副中継基板６４内のセキュリティＩＣとの間におけるデータの通信方向は、セキュリティＩＣ９４（暗号化ＬＳＩ）からセキュリティＩＣ（復号化ＬＳＩ）への一方向となる。
【００６９】
さらに、図５には示さないが、外部端子板用ＬＳＩ９５は、外部集中端子板５６（外部端子用リレー基板）に電気ケーブル等を介して電気的に接続される。外部端子板用ＬＳＩ９５と外部集中端子板５６との間におけるデータの入出力方向は、外部端子板用ＬＳＩ９５から外部集中端子板５６への一方向となる（図４参照）。
【００７０】
［各部構成］
メインＲＯＭ１０１には、メインＣＰＵ１００により実行される主制御プログラム、データテーブル、副制御基板６１（後述の副制御回路２００）に対して各種制御指令（コマンド）を送信するためのデータ等が記憶される。メインＲＡＭ１０２には、主制御プログラムの実行により決定された内部当籤役等の各種データを格納する格納領域が設けられる。なお、本実施形態では、メインＲＡＭ１０２は、全領域がＳＲＡＭ（Static  RAM）で構成され、電断中も所定のデータをバックアップする機能を備える。
【００７１】
タイマー回路１０３は、ＣＰＵ作動用のクロック信号を分周器（不図示）で分周された周波数の信号で動作する（経過時間をカウントする）。そして、タイマー回路１０３は、１．１１７２ｍｓｅｃの周期で割込信号をメインＣＰＵ１００に出力する。メインＣＰＵ１００は、このタイマー回路１０３から入力される割込信号に基づいて、１．１１７２ｍｓｅｃ周期で、ポート入力処理、ポート出力処理、通信データ送信処理等の各種処理を行う。
【００７２】
乱数発生器１０４は、予め定められた範囲の乱数（例えば、０〜６５５３５）を発生させる。メインＣＰＵ１００は、乱数発生器１０４で発生させた所定範囲の乱数の中から１つの値を、例えば内部抽籤用の乱数値として抽出する。
【００７３】
第１ＵＡＲＴ１０５は、シリアル転送方式のデータと、パラレル転送方式のデータとを相互に変換可能な回路である。第１ＵＡＲＴ１０５は、メインＣＰＵ１００から出力されたデータを平文データ（シリアルデータ）に変換し、該平文データをセキュリティＩＣ９４に出力する。
【００７４】
第２ＵＡＲＴ１０６は、第１ＵＡＲＴ１０５と同様の回路で構成される。そして、第２ＵＡＲＴ１０６は、メインＣＰＵ１００から出力されたデータを平文データ（シリアルデータ）に変換し、該平文データを外部端子板用ＬＳＩ９５に出力する。なお、ＵＡＲＴは、例えば、データの送受信のタイミングを計るための同期クロック信号線が不要となる、送受信時のエラー（物理層エラー）を検出することができるなどの特徴を備える。
【００７５】
クロック発振器９２は、ＣＰＵ作動用のクロック信号を発信し、該クロック信号をメインＣＰＵ１００に出力する。なお、メインＣＰＵ１００は、クロック発振器９２により発生されたクロックパルスに基づいて、主制御プログラムを実行し、遊技の進行に関する各種制御処理を行う。例えば、次のようなリール制御もメインＣＰＵ１００により実行される。
【００７６】
メインＣＰＵ１００は、リールインデックスを検出してから各リールのステッピングモータに対してパルスを出力した回数をカウントする。これにより、メインＣＰＵ１００は、各リールの回転角度（主に、リールが図柄何個分だけ回転したか）を管理する。なお、リールインデックスとは、リールが一回転したことを示す情報である。このリールインデックスは、例えば、発光部及び受光部を有する光センサと、各リールの所定の位置に設けられ、各リールの回転により発光部と受光部との間に介在される検知片とを備えたリール位置検出部（不図示）により検出される。
【００７７】
ここで、各リールの回転角度の管理について、具体的に説明する。ステッピングモータに対して出力されたパルスの数は、メインＲＡＭ１０２に設けられたパルスカウンタによって計数される。そして、図柄１つ分の回転に必要な所定回数（例えば１６回）のパルスの出力がパルスカウンタで計数される度に、メインＲＡＭ１０２に設けられた図柄カウンタが１ずつ加算される。図柄カウンタは、各リールに応じて設けられている。図柄カウンタの値は、リール位置検出部（不図示）によってリールインデックスが検出されるとクリアされる。
【００７８】
つまり、本実施形態では、図柄カウンタを管理することにより、リールインデックスが検出されてから図柄何個分の回転が行われたのかを管理する。したがって、各リールの各図柄の位置は、リールインデックスが検出される位置を基準として検出される。また、本実施形態では、基本的に、リール図柄の滑り駒数の最大数を図柄４個分に定める。したがって、左ストップボタン１７Ｌが押されたときには、左表示窓４Ｌの中段領域に表示された左リール３Ｌの図柄、及び、その４個先の図柄までの範囲内にある各図柄が、左表示窓４Ｌの中段領域に停止可能な図柄となる。
【００７９】
Ｉ／Ｏ通信ＬＳＩ９３は、リールドライブ基板５３を介して、リールユニット３内の各リールのモータに励磁信号を出力する。また、Ｉ／Ｏ通信ＬＳＩ９３は、リールドライブ基板５３を介して、ホッパー装置４３にホッパー払出信号を出力する。さらに、Ｉ／Ｏ通信ＬＳＩ９３は、リールドライブ基板５３及びそれに光ファイバーケーブルで接続されたドア中継基板５２を介して、セレクタ４６内のセレクタ投入許可ソレノイドに制御（励磁）信号を出力する。なお、Ｉ／Ｏ通信ＬＳＩ９３とリールドライブ基板５３との間におけるデータの入出力方向は、Ｉ／Ｏ通信ＬＳＩ９３からリールドライブ基板５３への一方向となる。
【００８０】
また、Ｉ／Ｏ通信ＬＳＩ９３は、セレクタ４６（メダルセンサ）、ドア開閉監視スイッチ７１、精算スイッチ７２、スタートスイッチ７３、ＢＥＴスイッチ７４、ストップスイッチ基板７５のそれぞれで検出された信号を、Ｉ２Ｃ通信により、ドア中継基板５２を介して受信する。そして、Ｉ／Ｏ通信ＬＳＩ９３は、受信した検出信号をメインＣＰＵ１００に出力する（メインＣＰＵ１００の対応するポートに出力する）。これにより、各センサ、各スイッチの状態に関する情報が、通常の入力ポートの情報として、メインＣＰＵ１００に入力される。
【００８１】
セキュリティＩＣ９４（暗号化ＬＳＩ）は、ＡＥＳ（Advanced  Encryption  Standard）１２８暗号方式の暗号化機能を備えた集積回路で構成される。セキュリティＩＣ９４は、第１ＵＡＲＴ１０５から入力された平文（シリアル）データを、ＡＥＳ１２８暗号方式により暗号化する。そして、セキュリティＩＣ９４は、暗号化されたデータ（暗号データ）を、光ファイバーケーブルを介して、副中継基板６４内の図示しないセキュリティＩＣ（復号化ＬＳＩ）に送信する。
【００８２】
すなわち、本実施形態における、セキュリティＩＣ９４を介した主制御基板５１及び副中継基板６４間における各種データ（コマンドデータ等）の通信動作では、まず、メインＣＰＵ１００から出力された所定の送信データは、第１ＵＡＲＴ１０５により平文（シリアル）データに変換される。次いで、平文データは、セキュリティＩＣ９４によりＡＥＳ１２８暗号方式により暗号化される。そして、暗号化されたデータは、光ファイバーケーブルを介して、副中継基板６４内のセキュリティＩＣ（復号化ＬＳＩ）に送信され、復号される。
【００８３】
なお、ＡＥＳ暗号化アルゴリズムは、共通鍵暗号方式の代表的な暗号化アルゴリズムである。このＡＥＳ暗号化アルゴリズムでは、鍵長が１２８ビット、１９２ビット、２５６ビットから選択可能であり、ブロック長が例えば１２８ビットのＳＰＮ（Substitution  Permutation  Network）構造のブロック暗号が暗号データとして生成される。本実施形態では、鍵長及びブロック長がともに１２８ビットであるＡＥＳ暗号化アルゴリズム（ＡＥＳ１２８暗号方式）を用いる。
【００８４】
外部端子板用ＬＳＩ９５は、セキュリティＩＣ９４と同様の回路で構成される。外部端子板用ＬＳＩ９５は、第２ＵＡＲＴ１０６から出力された平文（シリアル）データを、ＡＥＳ１２８暗号方式により暗号化する。そして、外部端子板用ＬＳＩ９５は、暗号化されたデータ（暗号データ）を外部集中端子板５６（外部端子用リレー基板）に出力する。
【００８５】
なお、上述した主制御基板５１内の各構成部間のデータの入出力動作は、メインＣＰＵ１００により制御される。
【００８６】
＜ドア中継基板の構成＞
次に、ドア中継基板５２の内部構成を、図６を参照して説明する。図６は、パチスロ１のドア中継基板５２の内部構成例を示すブロック図である。
【００８７】
ドア中継基板５２には、図６に示すように、Ｉ／Ｏ通信ＬＳＩ１１０及び外部入出力ドライバ１１１が搭載される。
【００８８】
Ｉ／Ｏ通信ＬＳＩ１１０は、外部入出力ドライバ１１１に対して、相互にデータを入出力可能に接続される。また、Ｉ／Ｏ通信ＬＳＩ１１０は、主制御回路９０内のＩ／Ｏ通信ＬＳＩ９３及びリールドライブ基板５３内の後述のＩ／Ｏ通信ＬＳＩ１２０のそれぞれに光ファイバーケーブルを介して接続される。
【００８９】
さらに、外部入出力ドライバ１１１は、セレクタ４６（メダルセンサ）、ドア開閉監視スイッチ７１、精算スイッチ７２、スタートスイッチ７３、ＢＥＴスイッチ７４及びストップスイッチ基板７５にそれぞれ電気的に接続される。なお、外部入出力ドライバ１１１とセレクタ４６との間におけるデータの入出力方向は双方向となるが、外部入出力ドライバ１１１と、ドア開閉監視スイッチ７１、精算スイッチ７２、スタートスイッチ７３、ＢＥＴスイッチ７４及びストップスイッチ基板７５のそれぞれとの間におけるデータの入出力方向は、各スイッチ（スイッチ基板）から外部入出力ドライバ１１１への一方向となる。
【００９０】
Ｉ／Ｏ通信ＬＳＩ１１０は、外部入出力ドライバ１１１に接続されたセンサ、スイッチ等の検出データを、外部入出力ドライバ１１１を介して取得する。さらに、Ｉ／Ｏ通信ＬＳＩ１１０は、リールドライブ基板５３に接続された周辺装置（例えばリールユニット３等）で検出された各種データをリールドライブ基板５３からＩ２Ｃ通信方式により受信する。そして、Ｉ／Ｏ通信ＬＳＩ１１０は、取得した各種検出データをＩ２Ｃ通信方式により、主制御回路９０内のＩ／Ｏ通信ＬＳＩ９３に送信する。これにより、メインＣＰＵ１００は、主制御回路９０に間接的に接続された各種周辺装置の状態を把握することができる。
【００９１】
外部入出力ドライバ１１１は、主制御回路９０（主制御基板５１）の周辺機器のポート入出力用ドライバＩＣであり、ＰＩＯのＩＣで構成される。
【００９２】
なお、主制御回路９０内のＩ／Ｏ通信ＬＳＩ９３からリールドライブ基板５３を介してドア中継基板５２内のＩ／Ｏ通信ＬＳＩ１１０に送信されたセレクタ投入許可ソレノイドの制御（励磁）信号（メダル投入可／不可の制御信号）は、外部入出力ドライバ１１１を介してセレクタ４６に出力される。これにより、セレクタ４６を駆動するソレノイド（メダル投入可／不可）が制御される。
【００９３】
＜リールドライブ基板の構成＞
次に、リールドライブ基板５３の内部構成を、図７を参照して説明する。図７は、パチスロ１のリールドライブ基板５３の内部構成例を示すブロック図である。
【００９４】
リールドライブ基板５３には、図７に示すように、Ｉ／Ｏ通信ＬＳＩ１２０、リールモータドライバ１２１及びホッパーモータドライバ１２２が搭載される。
【００９５】
Ｉ／Ｏ通信ＬＳＩ１２０は、リールモータドライバ１２１及びホッパーモータドライバ１２２にそれぞれ電気的に接続される。なお、Ｉ／Ｏ通信ＬＳＩ１２０とリールモータドライバ１２１との間におけるデータの入出力方向は、Ｉ／Ｏ通信ＬＳＩ１２０からリールモータドライバ１２１への一方向となり、Ｉ／Ｏ通信ＬＳＩ１２０とホッパーモータドライバ１２２との間におけるデータの入出力方向は、Ｉ／Ｏ通信ＬＳＩ１２０からホッパーモータドライバ１２２への一方向となる。
【００９６】
また、Ｉ／Ｏ通信ＬＳＩ１２０は、リールユニット３、ホッパー装置４３及びメダル補助収納庫スイッチ５７にそれぞれ電気的に接続される。なお、Ｉ／Ｏ通信ＬＳＩ１２０と、リールユニット３、ホッパー装置４３及びメダル補助収納庫スイッチ５７のそれぞれとの間におけるデータの入出力方向は、リールユニット３、ホッパー装置４３及びメダル補助収納庫スイッチ５７のそれぞれからＩ／Ｏ通信ＬＳＩ１２０への一方向となる。
【００９７】
また、リールモータドライバ１２１はリールユニット３に電気的に接続され、ホッパーモータドライバ１２２はホッパー装置４３に電気的に接続される。なお、リールモータドライバ１２１とリールユニット３との間におけるデータの入出力方向は、リールモータドライバ１２１からリールユニット３への一方向となり、ホッパーモータドライバ１２２とホッパー装置４３との間におけるデータの入出力方向は、ホッパーモータドライバ１２２からホッパー装置４３への一方向となる。
【００９８】
リールモータドライバ１２１は、３つのリール駆動用モータを励磁制御するためのドライバＩＣである。ホッパーモータドライバ１２２は、ホッパー装置４３によるメダルの払出動作を駆動するモータを制御するためのドライバＩＣである。
【００９９】
Ｉ／Ｏ通信ＬＳＩ１２０は、主制御回路９０内のＩ／Ｏ通信ＬＳＩ９３から入力された各リール（リールユニット３）の制御データをリールモータドライバ１２１に出力する。そして、リールモータドライバ１２１は、入力された制御データに基づいて、３つのリール駆動用モータを励磁制御する。
【０１００】
また、Ｉ／Ｏ通信ＬＳＩ１２０は、主制御回路９０内のＩ／Ｏ通信ＬＳＩ９３から入力されたホッパー装置４３の制御データをホッパーモータドライバ１２２に出力する。そして、ホッパーモータドライバ１２２は、入力された制御データに基づいて、ホッパー装置４３によるメダルの払出動作を制御する。
【０１０１】
さらに、主制御回路９０内のＩ／Ｏ通信ＬＳＩ９３からＩ／Ｏ通信ＬＳＩ１２０にセレクタ投入許可ソレノイドの制御（励磁）信号（メダル投入可／不可の制御信号）が入力されたときには、Ｉ／Ｏ通信ＬＳＩ１２０は、入力された制御（励磁）信号を、光ファイバーケーブルを介してＩ２Ｃ通信により、ドア中継基板５２内のＩ／Ｏ通信ＬＳＩ１１０に送信する。
【０１０２】
＜副制御回路の構成＞
次に、副制御基板６１に実装される副制御回路２００の構成を、図８を参照して説明する。図８は、パチスロ１の副制御回路２００の構成例を示すブロック図である。
【０１０３】
副制御回路２００は、副中継基板６４を介して主制御回路９０（主制御基板５１）に接続されており、主制御回路９０から副中継基板６４を介して受信されるコマンドに基づいて演出内容の決定や実行等の処理を行う。なお、副制御回路２００は、本発明に係る副制御手段の一具体例を示す。
【０１０４】
副制御回路２００は、基本的に、図８に示すように、サブＣＰＵ２０１、サブＲＡＭ２０２、ＧＰＵ（Graphics  Processing  Unit）２０３、ＶＲＡＭ（Video  RAM）２０４、ＳＲＡＭ２０５及びＳＡＴＡ−Ｉ／Ｆ２０６を含んで構成される。
【０１０５】
なお、サブＣＰＵ２０１は、サブＲＡＭ２０２、ＧＰＵ２０３、ＳＲＡＭ２０５及びＳＡＴＡ−Ｉ／Ｆ２０６のそれぞれと電気的に接続され、サブＣＰＵ２０１と、サブＲＡＭ２０２、ＧＰＵ２０３、ＳＲＡＭ２０５及びＳＡＴＡ−Ｉ／Ｆ２０６のそれぞれとの間におけるデータの入出力方向は、双方向となる。また、ＧＰＵ２０３は、ＶＲＡＭ２０４と電気的に接続され、両者間におけるデータの入出力方向は、双方向となる。さらに、ＧＰＵ２０３は、液晶中継基板６２と電気的に接続され、両者間におけるデータの入出力方向は、ＧＰＵ２０３から液晶中継基板６２への一方向となる。
【０１０６】
サブＣＰＵ２０１は、主制御回路９０から送信されたコマンドに応じて、演出内容を決定し、映像、音、光、可動部（可動役物等）の出力制御を行う。
【０１０７】
具体的には、サブＣＰＵ２０１は、図８には示さないが、演出内容により指定されたサウンドデータに従ってＢＧＭ（background  music）などの音声信号を副中継基板６４を介してスピーカ群８２に出力する。これにより、音声信号が入力されたスピーカ群８２内のスピーカから所定の演出音声が出力される。また、サブＣＰＵ２０１は、演出内容により指定されたランプデータに従ってＬＥＤ群８１を点灯及び消灯させるランプ信号を副中継基板６４を介して出力する。これにより、ランプ信号が入力されたＬＥＤ群８１内のＬＥＤが所定のパターンで点消灯する。また、サブＣＰＵ２０１は、演出内容により指定された可動データに従って可動装飾ユニット３１１等を駆動させるモータ駆動用励磁信号を副中継基板６４を介して役物駆動ユニット７８に出力する。この結果、励磁信号が入力された役物駆動ユニット７８の制御により可動装飾ユニット３１１の所定動作が実行される。
【０１０８】
なお、これらの演出制御は、サブＣＰＵ２０１がストレージ基板６３に記憶されている副制御プログラムを実行することにより行われる。なお、ストレージ基板６３の内部構成については、後で詳述する。
【０１０９】
サブＲＡＭ２０２には、決定された演出内容や演出データを登録する格納領域や、主制御回路９０から送信される内部当籤役等の各種データを格納する格納領域が設けられる。
【０１１０】
サブＣＰＵ２０１、ＧＰＵ２０３及びＶＲＡＭ２０４は、演出内容により指定されたアニメーションデータに従って映像信号を作成し、作成した映像信号を液晶中継基板６２を介して液晶表示装置１１に出力する。液晶表示装置１１は、入力された映像信号に基づいて、所定の演出映像を表示する。
【０１１１】
ＳＲＡＭ２０５は、電断中も所定のデータをバックアップする機能を備える。また、ＳＡＴＡ−Ｉ／Ｆ２０６は、サブＣＰＵ２０１とストレージ基板６３との間を電気的に接続するためのインターフェイス回路である。ＳＡＴＡ−Ｉ／Ｆ２０６は、バス（不図示）を介してサブＣＰＵ２０１に接続されるとともに、後述のｍＳＡＴＡコネクタ２１１を介してストレージ基板６３に接続される。
【０１１２】
＜ストレージ基板の構成＞
次に、ストレージ基板６３の内部構成を、図９を参照して説明する。図９は、パチスロ１が備えるストレージ基板６３の内部構成例を示すブロック図である。
【０１１３】
ストレージ基板６３には、図９に示すように、ＳＡＴＡブリッジＡＳＩＣ（Application  Specific  Integrated  Circuit）２１０、ｍＳＡＴＡコネクタ２１１、ストレージ２１２及びＥＥＰＲＯＭ（Electrically  Erasable  Programmable  ROM）２１３が搭載される。なお、ＳＡＴＡブリッジＡＳＩＣ２１０は、本発明に係る識別情報照合手段の一具体例を示し、ストレージ２１２は、本発明に係る第１記憶手段の一具体例を示し、ＥＥＰＲＯＭ２１３は、本発明に係る第３記憶手段の一具体例を示す。
【０１１４】
ＳＡＴＡブリッジＡＳＩＣ２１０は、ストレージ２１２にＳＡＴＡ接続されるとともに、ｍＳＡＴＡコネクタ２１１を介してサブＣＰＵ２０１にＳＡＴＡ接続される。すなわち、ＳＡＴＡブリッジＡＳＩＣ２１０は、ストレージ２１２とサブＣＰＵ２０１との間におけるデータの橋渡し役となる回路である。また、ＳＡＴＡブリッジＡＳＩＣ２１０は、ＳＰＩバスを介してＥＥＰＲＯＭ２１３に接続される。
【０１１５】
なお、ＳＡＴＡブリッジＡＳＩＣ２１０とストレージ２１２との間、及び、ＳＡＴＡブリッジＡＳＩＣ２１０とｍＳＡＴＡコネクタ２１１との間におけるデータの入出力方向は、双方向となる。また、ＳＡＴＡブリッジＡＳＩＣ２１０とＥＥＰＲＯＭ２１３との間におけるデータの入出力方向もまた、双方向となる。
【０１１６】
ＳＡＴＡブリッジＡＳＩＣ２１０は、図９に示すように、コントローラ２１４と、内蔵ＳＤＲＡＭ２１５と、内蔵ＲＯＭ２１６（マスクＲＯＭ）と、ＳＡＴＡ−Ｉ／Ｆ２１７と、ＳＰＩ−Ｉ／Ｆ２１８とを有する。なお、本実施形態では、内蔵ＲＯＭ２１６は、特殊制御により、１度だけデータを書き換えることが可能な構成を有し、本発明に係る第２記憶手段の一具体例を示す。
【０１１７】
なお、図９には示さないが、内蔵ＳＤＲＡＭ２１５、内蔵ＲＯＭ２１６、ＳＡＴＡ−Ｉ／Ｆ２１７及びＳＰＩ−Ｉ／Ｆ２１８は、バス（不図示）を介してコントローラ２１４に接続される。また、ＳＡＴＡブリッジＡＳＩＣ２１０は、ＳＡＴＡ−Ｉ／Ｆ２１７を介してストレージ２１２及びｍＳＡＴＡコネクタ２１１のそれぞれに接続され、ＳＰＩ−Ｉ／Ｆ２１８を介してＥＥＰＲＯＭ２１３に接続される。
【０１１８】
ＳＡＴＡブリッジＡＳＩＣ２１０の各種動作は、コントローラ２１４が内蔵ＲＯＭ２１６に記憶されたプログラムを実行することにより制御される。
【０１１９】
ストレージ２１２は、例えばＳＳＤ、ＨＤＤ、ＢＤ、フラッシュメモリ（ＮＡＮＤ型、ＮＯＲ型）、ＲＯＭ等で構成することができる。ストレージ２１２には、上述のように、副制御プログラムやアプリケーションデータ（コンテンツデータ）などが格納される。
【０１２０】
ＥＥＰＲＯＭ２１３には、後述のように、ストレージ２１２のシリアル番号を照合する際に用いるパスワードのデータが格納される。なお、パスワードは、ストレージ２１２の正しいシリアル番号（照合用シリアル番号）と、暗号化されたシリアル番号を復号するための後述の復号化キー（変更）とを関連づける情報（データ）であり、後述の復号化キー（変更）とこのパスワードとを用いて所定の演算等を行うことにより、ストレージ２１２の正しいシリアル番号（照合用シリアル番号）を導出することが可能な情報（データ）である。
【０１２１】
なお、本実施形態では、ＳＡＴＡブリッジＡＳＩＣ２１０がＲＯＭを内蔵する構成例を説明したが、本発明はこれに限定されない。例えば、ＲＯＭを、バスを介して、ＳＡＴＡブリッジＡＳＩＣ２１０に外付けするような構成にしてもよい。
【０１２２】
＜セキュリティ機能＞
次に、本実施形態のパチスロ１が備える、ストレージ２１２へのゴト等の不正行為に対するセキュリティ機能について説明する。
【０１２３】
本実施形態のパチスロ１は、電源投入時に、ＳＡＴＡブリッジＡＳＩＣ２１０により、ストレージ２１２のシリアル番号と、ＥＥＰＲＯＭ２１３に格納されたパスワード及び内蔵ＲＯＭ２１６に格納された復号化キーにより生成される照合用シリアル番号（ペアリングシリアル生成）とを照合（ペアリング）する機能を有する。そして、このストレージ２１２のシリアル番号の照合結果が不一致（ＮＧ）である場合には、ＳＡＴＡブリッジＡＳＩＣ２１０は、サブＣＰＵ２０１及びストレージ２１２間のアクセスを禁止する。
【０１２４】
また、本実施形態では、セキュリティ性をさらに向上させるため、製品プログラムを書き込む段階（製造段階）において、内蔵ＲＯＭ２１６に予め格納された復号化キー（以下、復号化キー（初期）と記す）、及び、ストレージ２１２に予め格納されたシリアル番号の暗号化データ（以下、暗号化シリアル番号（初期）と記す）を、専用装置（ＲＯＭライター）を使用して変更する。なお、このシリアル番号は、本発明に係るメモリ識別情報の一具体例を示す。
【０１２５】
以下、図１０及び図１１を参照しながら、ストレージ２１２へのゴト等の不正行為に対するセキュリティ機能の内容を具体的に説明する。なお、図１０は、製造段階において実行されるストレージ２１２の暗号化シリアル番号及び復号化キーの変更処理の概要を示す図である。また、図１１は、ＳＡＴＡブリッジＡＳＩＣ２１０により実行される、ストレージ２１２のシリアル番号の照合（ペアリング）機能の概要を示す図である。
【０１２６】
［ストレージの暗号化シリアル番号及び復号化キーの変更処理］
製造段階に実行されるストレージ２１２の暗号化シリアル番号及び復号化キーの変更処理では、まず、専用装置５００（ＲＯＭライター）から専用コマンドがＳＡＴＡブリッジＡＳＩＣ２１０に入力される（図１０中の矢印Ａ１１の動作）。なお、この専用コマンドの入力により、セキュリティ機能の初期設定等の処理が行われる。そして、ＳＡＴＡブリッジＡＳＩＣ２１０のコントローラ２１４は、この入力された専用コマンドに基づいて、ストレージ２１２の暗号化シリアル番号（初期）及び復号化キー（初期）の変更処理を開始する。
【０１２７】
次いで、コントローラ２１４は、内蔵ＲＯＭ２１６に予め格納された復号化キー（初期）を内蔵ＳＤＲＡＭ２１５に読み出す（図１０中の矢印Ａ１２の動作）。次いで、コントローラ２１４は、ストレージ２１２に予め格納された暗号化シリアル番号（初期）を内蔵ＳＤＲＡＭ２１５に読み出す（図１０中の矢印Ａ１３の動作）。そして、コントローラ２１４は、復号化キー（初期）を使用して読み出された暗号化シリアル番号（初期）を復号する（図１０中の矢印Ａ１４の動作）。これにより、復号化されたストレージ２１２のシリアル番号（以下、復号化シリアル番号と記す）が内蔵ＳＤＲＡＭ２１５に格納される。
【０１２８】
次いで、専用装置５００（ＲＯＭライター）からＳＡＴＡブリッジＡＳＩＣ２１０に変更用の復号化キー（以下、復号化キー（変更）と記す）が入力される（図１０中の矢印Ａ１５の動作）。なお、この復号化キー（変更）は、本発明に係る復号情報の一具体例を示す。
【０１２９】
次いで、コントローラ２１４は、復号化キー（変更）を用いて復号化シリアル番号からパスワードを生成する（図１０中の矢印Ａ１６及びＡ１７の動作）。なお、このパスワードの生成手法（演算手法）は、共通鍵暗号方式（ＡＥＳ、ＤＥＳ（ブロック暗号）、ＲＣ４（ストリーム暗号）等）を使用し、復号化キー（変更）を用いて復号化シリアル番号からパスワードを導出しているが、同様にしてパスワードを導出することができれば、例えば、公開鍵暗号方式や他の暗号方式などを採用することができる。また、このパスワードは、本発明に係る照合情報の一具体例を示す。
【０１３０】
次いで、コントローラ２１４は、復号化キー（変更）を内蔵ＲＯＭ２１６に保存する（図１０中の矢印Ａ１８の動作）。この際、復号化キー（変更）は、復号化キー（初期）上に上書きされる。なお、本発明はこれに限定されず、復号化キー（変更）を復号化キー（初期）とは異なる格納領域に保存する構成にしてもよい。
【０１３１】
また、コントローラ２１４は、生成されたパスワードをＥＥＰＲＯＭ２１３に保存する（図１０中の矢印Ａ１９の動作）。
【０１３２】
次いで、コントローラ２１４は、復号化キー（変更）を使用して復号化シリアル番号を暗号化し、変更されたストレージ２１２の暗号化シリアル番号（以下、暗号化シリアル番号（変更）と記す）を生成する（図１０中の矢印Ａ２０及びＡ２１の動作）。そして、コントローラ２１４は、生成されたストレージ２１２の暗号化シリアル番号（変更）をストレージ２１２に出力する。これにより、暗号化シリアル番号（変更）がストレージ２１２内の所定の格納領域に保存される。この際、暗号化シリアル番号（変更）は、ストレージ２１２内の暗号化シリアル番号（初期）の格納領域とは異なる格納領域に保存される。なお、暗号化シリアル番号（変更）も前述のパスワード生成手法（演算手法）で使用した暗号方式により演算されて生成される。また、後述のストレージのシリアル番号の照合（ペアリング）機能で詳述されるシリアル番号の暗号化及び復号化の処理も同様に、パスワード生成手法（演算手法）で使用した暗号方式に従って処理が行われる。
【０１３３】
本実施形態では、上述のようにして、製造段階において、ストレージ２１２の暗号化シリアル番号及び復号化キーの変更処理を行う。なお、本実施形態では、専用コマンドを出力するための専用装置５００としてＲＯＭライターを用いた例を説明したが、本発明はこれに限定されない。専用コマンドが送信可能であれば、任意の装置を使用することができ、例えばパソコン等を専用装置５００として用いてもよい。
【０１３４】
［ストレージのシリアル番号の照合（ペアリング）機能］
次に、図１１を参照して、パチスロ１の電源投入時（起動時）に、ＳＡＴＡブリッジＡＳＩＣ２１０により実行されるストレージ２１２のシリアル番号の照合（ペアリング）機能の動作について説明する。
【０１３５】
まず、ＳＡＴＡブリッジＡＳＩＣ２１０のコントローラ２１４は、電源投入時に、ストレージ２１２から暗号化シリアル番号（変更）を、内蔵ＳＤＲＡＭ２１５に読み込む（図１１中の矢印Ａ３１の動作）。また、コントローラ２１４は、内蔵ＲＯＭ２１６から復号化キー（変更）を読み出す（図１１中の矢印Ａ３２の動作）。そして、コントローラ２１４は、復号化キー（変更）を用いて、暗号化シリアル番号（変更）を復号する。これにより、復号化シリアル番号（ストレージ２１２のシリアル番号）が生成される。
【０１３６】
次いで、コントローラ２１４は、ＥＥＰＲＯＭ２１３からパスワードを読み出すとともに、内蔵ＲＯＭ２１６から復号化キー（変更）を読み出す（図１１中の矢印Ａ３３及びＡ３４の動作）。そして、コントローラ２１４は、復号化キー（変更）を用いてパスワードからペアリングシリアル番号（照合用シリアル番号）を生成する。この際、コントローラ２１４は、復号化キー（変更）を用いて復号化シリアル番号からパスワードを生成した際の演算手法とは逆の演算手法により、復号化キー（変更）を用いてパスワードからペアリングシリアル番号（照合用シリアル番号）を生成する。
【０１３７】
次いで、コントローラ２１４は、復号化シリアル番号がペアリングシリアル番号（照合用シリアル番号）と一致するか否かの照合処理（ペアリング処理）を行う（図１１中の矢印Ａ３５の動作）。そして、この照合処理により、コントローラ２１４が、復号化シリアル番号がペアリングシリアル番号（照合用シリアル番号）と一致しないと判別した場合には、コントローラ２１４は、サブＣＰＵ２０１及びストレージ２１２間のアクセス動作を禁止する。
【０１３８】
上述ようなセキュリティ機能を設けることにより、次のような効果が得られる。
【０１３９】
ストレージ２１２のシリアル番号（復号化シリアル番号）は、機器（遊技機）毎に異なるとともに、復号化キー（変更）も機器毎に変更することができる。それゆえ、同一機種の遊技機（パチスロ１）であっても、機器毎に互いに異なるパスワードを生成することができ、遊技機のセキュリティ性を向上させることができる。
【０１４０】
また、本実施形態では、上述したストレージ２１２のシリアル番号の照合処理（ペアリング処理）により、ストレージ２１２がゴト等により交換（着脱）されたか否かを検知することができる。すなわち、ＳＡＴＡブリッジＡＳＩＣ２１０のコントローラ２１４は、ストレージ交換（着脱）検知機能（電源ＯＦＦ監視可能）を有する。それゆえ、本実施形態では、副制御プログラムやコンテンツデータなどが保存されているストレージ２１２（ＳＳＤ、ＨＤＤ、ＢＤ、フラッシュメモリ、ＲＯＭなど）が取り外されたか否かを確認することができ、ゴトが行われたか否かを判別することができる。すなわち、本実施形態のセキュリティ機能では、ストレージ基板６３へのゴト等の不正行為に対するセキュリティ性を向上させることができる。
【０１４１】
以上、本発明の一実施形態に係る遊技機の構成及び動作について、その作用効果も含めて説明した。しかしながら、本発明は、上述した実施形態に限定されるものではなく、特許請求の範囲に記載した本発明の要旨を逸脱しない限り、種々の変形例が含まれる。
【０１４２】
上記実施形態では、上記セキュリティ機能（ストレージ２１２のシリアル番号のペアリング処理機能）をストレージ基板６３内のＳＡＴＡブリッジＡＳＩＣ２１０で実行する例を説明したが、本発明はこれに限定されない。例えば、副制御回路２００で上記セキュリティ機能を実行してもよい。
【０１４３】
また、上記実施形態では、上記セキュリティ機能（ストレージ２１２のシリアル番号のペアリング処理機能）を遊技機の電源投入時（起動時）に実行する例を説明したが、本発明はこれに限定されない。電源投入時（起動時）だけでなく、例えば、遊技機の稼働中に上記セキュリティ機能を定期的に実行してもよいし、遊技機の稼働中に何らかの不正行為が検知された際に上記セキュリティ機能を実行してもよい。
【０１４４】
また、上記実施形態のセキュリティ機能では、ストレージ２１２のシリアル番号をメモリ識別情報として用いる例を説明したが、本発明はこれに限定されない。例えば、ストレージ２１２を製品毎に識別可能な情報であれば任意の情報をメモリ識別情報として上記セキュリティ機能で用いることができる。
【０１４５】
また、上記実施形態では、副制御基板６１（副制御回路２００）とストレージ基板６３との間をｍＳＡＴＡ接続する例を説明したが、本発明はこれに限定されず、端子の配置が規格化された（規格で決定された）他の接続方式で、副制御基板６１（副制御回路２００）とストレージ基板６３との間が接続されていてもよい。例えば、ＳＡＴＡ標準コネクタ、その他のＳＡＴＡ規格に対応したコネクタ、ＵＳＢ規格に対応したコネクタ等により、副制御基板６１（副制御回路２００）とストレージ基板６３との間が接続されていてもよい。
【０１４６】
さらに、上記実施形態では、遊技機としてパチスロを例に挙げて説明したが、本発明はこれに限定されず、例えば、「パチンコ」と呼ばれる遊技機やスロットマシンにも本発明は適用可能である。
【０１４７】
また、本発明は以下のような遊技機を提供する。
遊技の進行に関連する動作及び該動作の制御を行い、遊技の進行に伴いデータ（例えば、各種コマンド等）を送信する主制御手段（例えば、後述の主制御回路９０）と、
前記主制御手段から送信されたデータを受信し、該受信したデータに基づいて遊技の演出を決定するとともに、該決定された演出の動作を制御する副制御手段（例えば、後述の副制御回路２００）と、
前記演出の動作の制御に必要なプログラム及び暗号化されたメモリ識別情報（例えば、後述のシリアル番号）が格納された第１記憶手段（例えば、後述のストレージ２１２）と、
前記第１記憶手段に格納された前記暗号化されたメモリ識別情報を復号するための復号情報（例えば、後述の復号化キー（変更））が格納された第２記憶手段（例えば、後述の内蔵ＲＯＭ２１６）と、
前記復号情報を用いて前記第１記憶手段の照合用メモリ識別情報（例えば、後述のペアリングシリアル番号）を生成することが可能な照合情報（例えば、後述のパスワード）が格納された第３記憶手段（例えば、後述のＥＥＰＲＯＭ２１３）と、
前記第１記憶手段に格納された前記暗号化されたメモリ識別情報を前記復号情報を用いて復号し、前記復号情報及び前記照合情報を用いて前記照合用メモリ識別情報を生成し、且つ、復号化された前記第１記憶手段のメモリ識別情報が前記照合用メモリ識別情報と一致するか否かを判定する識別情報照合手段（例えば、後述のＳＡＴＡブリッジＡＳＩＣ２１０）と、を備え、
前記識別情報照合手段が、復号化された前記第１記憶手段のメモリ識別情報が前記照合用メモリ識別情報と一致しないと判定した場合には、前記副制御手段と前記第１記憶手段との間のアクセス動作が禁止される
ことを特徴とする遊技機。
【０１４８】
また、本発明の遊技機では、さらに、前記副制御手段が搭載された副基板（例えば、後述の副制御基板６１）と、
前記第１記憶手段、前記第２記憶手段、前記第３記憶手段及び前記識別情報照合手段が搭載されたメモリ基板（例えば、後述のストレージ基板６３）と、を備え、
前記メモリ基板が前記副基板に対して規格化された端子の配置を有する接続態様（例えば、後述のｍＳＡＴＡ）で接続され、
前記副制御手段が、前記識別情報照合手段を介して前記第１記憶手段に接続されているようにしてもよい。
【符号の説明】
【０１４９】
１…パチスロ（遊技機）、２…外装体、２ａ…キャビネット、２ｂ…フロントドア、３Ｌ…左リール、３Ｃ…中リール、３Ｒ…右リール、１１…液晶表示装置、１６…スタートレバー、１７Ｌ…左ストップボタン、１７Ｃ…中ストップボタン、１７Ｒ…右ストップボタン、５１…主制御基板、６１…副制御基板、６３…ストレージ基板、６４…副中継基板、１００…メインＣＰＵ、２０１…サブＣＰＵ、２１０…ＳＡＴＡブリッジＡＳＩＣ、２１１…ｍＳＡＴＡコネクタ、２１２…ストレージ、２１３…ＥＥＰＲＯＭ、２１４…コントローラ、２１５…内蔵ＳＤＲＡＭ、２１６…内蔵ＲＯＭ、２１７…ＳＡＴＡ−Ｉ／Ｆ、２１８…ＳＰＩ−Ｉ／Ｆ
【図１】
2019130337.tif 000003
【図２】
2019130337.tif 000004
【図３】
2019130337.tif 000005
【図４】
2019130337.tif 000006
【図５】
2019130337.tif 000007
【図６】
2019130337.tif 000008
【図７】
2019130337.tif 000009
【図８】
2019130337.tif 000010
【図９】
2019130337.tif 000011
【図１０】
2019130337.tif 000012
【図１１】
2019130337.tif 000013